(57)【特許請求の範囲】
【請求項１】
通信機器であって、
外部の通信機器と通信するための通信部と、
前記通信部で着信が発生した場合に、前記着信に対する発信者の情報を記憶する第１記憶部と、
前記着信に対する報知を行なう報知部と、
前記通信部の第１の通信機能による第１の着信に対して第２の報知により報知を行ったにもかかわらず、応答がなされなかった後に、前記通信部の第２の通信機能による第２の着信が発生したときに、前記第２の着信に係る発信者が前記第１記憶部に記憶されている前記発信者の情報に基づき前記第１の着信に係る発信者と同一であるか否かを判定し、この判定の結果に応じて前記第２の着信に係る報知を制御する制御部と、を備え、
前記制御部は、前記第２の着信に係る発信者が前記第１の着信に係る発信者と同一であると判定された場合、前記第２の報知とは異なる第１の報知にて報知を行い、
前記第１の着信及び第２の着信の双方にたいして応答がなされない状態で、前記第１の着信及び前記第２の着信に係る発信者とは異なる発信者からの第３の着信が発生した場合、前記第１の報知にて報知するものであることを特徴とする通信機器。
【請求項２】
通信機器であって、
外部の通信機器と通信するための通信部と、
前記通信部で前記外部の通信機器からの着信が発生した場合に、前記着信を発生させた前記外部の通信機器に関する情報を記憶する第１記憶部と、
前記着信に対する報知を行なう報知部と、
前記通信部の第１の通信機能による第１の着信に対して第２の報知により報知を行ったにもかかわらず、応答がなされなかった後に、前記通信部の第２の通信機能による第２の着信が発生したときに、前記第２の着信が、前記第１記憶部に記憶されている前記情報に基づき前記外部の通信機器と同一の通信機器からの着信であるか否かを判定し、この判定の結果に応じて前記第２の着信に係る報知を制御する制御部と、を備え、
前記制御部は、前記第２の着信が前記第１の着信に係る通信機器と同一であると判定された場合、前記第２の報知とは異なる第１の報知にて報知を行い、
前記第１の着信及び第２の着信の双方にたいして応答がなされない状態で、前記第１の着信及び前記第２の着信に係る通信機器とは異なる通信機器からの第３の着信が発生した場合、前記第１の報知にて報知するものであることを特徴とする通信機器。
【請求項３】
前記第１の報知は、マナーモード或いはサイレントモード設定中に、前記第２の着信があった場合には、マナーモード或いはサイレントモードを強制解除して音或いは振動を用いて報知するものであることを特徴とする請求項１又は請求項２に記載の通信機器。
【請求項４】
前記制御部は、さらに、前記第１の着信及び第２の着信の何れかに対して応答がなされるまで、前記第１の報知を継続して行うように前記報知部を制御することを特徴とする請求項１乃至請求項３のいずれか１項に記載の通信機器。
【請求項５】
前記第１の通信機能が通話機能であり、前記第２の通信機能がメール通信機能であることを特徴とする請求項１乃至請求項４のいずれか１項に記載の通信機器。
【請求項６】
前記第１の通信機能がメール通信機能であり、前記第２の通信機能が通話機能であることを特徴とする請求項１乃至請求項４のいずれか１項に記載の通信機器。
【請求項７】
前記第１の着信又は前記第２の着信は、メールの着信であって、
前記制御部は、前記メールの文章に対して形態素解析を行って内容を分析し、緊急性を示す語句、又は連絡を求める旨が記載されていると判断された場合には、第１の態様による第１の報知を行うように前記報知部を制御することを特徴とする請求項１乃至請求項６のいずれか１項に記載の通信機器。
【請求項８】
通信機器であって、
外部の通信機器と通信するための通信部と、
前記通信部で着信が発生した場合に、前記着信に対する発信者の情報を記憶する第１記憶部と、
前記着信に対する報知を行なう報知部と、
前記通信部の第１の通信機能による第１の着信に対する応答がなされなかった後に、前記通信部の第２の通信機能による第２の着信が発生したときに、前記第２の着信に係る発信者が前記第１記憶部に記憶されている前記発信者の情報に基づき前記第１の着信に係る発信者と同一であるか否かを判定し、この判定の結果に応じて前記第２の着信に係る報知を制御する制御部と、を備え、
前記制御部は、前記第２の着信に係る発信者が前記第１の着信に係る発信者と同一であると判定されて、前記通信部による前記第１の着信及び前記第２の着信の発生後に前記第１の着信及び前記第２の着信に係る発信者とは異なる発信者からの第３の着信が発生した場合、前記第１の着信及び前記第２の着信に係る発信者からの着信に対するコールバック機能を優先することを特徴とする通信機器。
【請求項９】
通信部の第１の通信機能による第１の着信に対する応答がなされなかった後に、前記通信部の第２の通信機能による第２の着信が発生したときに、前記第２の着信に係る発信者が前記第１の着信に係る発信者と同一であるか否かを判定し、
前記第２の着信に係る発信者が前記第１の着信に係る発信者と同一であると判定されて、前記通信部による前記第１の着信及び前記第２の着信の発生後に前記第１の着信及び前記第２の着信に係る発信者とは異なる発信者からの第３の着信が発生した場合、前記第１の着信及び前記第２の着信に係る発信者からの着信に対するコールバック機能を優先することを特徴とする制御方法。
【発明の詳細な説明】
【技術分野】
【０００１】
本発明は、着信に対して報知を行う通信機器及び通信システム及び報知方法に関する。
【背景技術】
【０００２】
通信機器の一例である携帯電話装置においては、着信時に不応答の場合に、発番号通知を利用して着信時間や発信者の電話番号を記憶し、着信履歴を表示する機能がある。この機能により着信に気づかない場合においても何時誰から電話があったのか確認することができる。
【０００３】
着信表示は、発信者の識別や着信回数に無関係に行われるので、利用者（受信者）が着信の緊急性に気がつかないことがある。そこで、同一発信者から所定時間内に複数回の電話の着信があったときに、受信者に着信の重要性、緊急性を容易に報知できる技術がある（例えば、特許文献１を参照。）。
【先行技術文献】
【特許文献】
【０００４】
【特許文献１】特開２００１−２１７９０３号公報
【発明の概要】
【発明が解決しようとする課題】
【０００５】
ところが、電話をかけたときに相手が不応答の場合に、何度も電話をかけ直すよりも、例えば、一度電話をして留守電等に「折り返し電話をください」等のメッセージを残しつつ、第２の通信機能（例えば、メール）により用件を伝えることがある。また、メールを送信しても返信がないときに、第２の通信機能（例えば、電話）を利用することがある。
【０００６】
このような場合には、有効な措置をとることができないため、重要な用件や緊急事態に対して対処することが望まれている。
【課題を解決するための手段】
【０００７】
本発明に係る通信機器は、上記課題を解決するために、通信機器であって、外部の通信機器と通信するための通信部と、前記通信部で着信が発生した場合に、前記着信に対する発信者の情報を記憶する第１記憶部と、前記着信に対する報知を行なう報知部と、前記通信部の第１の通信機能による第１の着信に対する応答がなされなかった後に、前記通信部の第２の通信機能による第２の着信が発生したときに、前記第２の着信に係る発信者が前記第１記憶部に記憶されている前記発信者の情報に基づき前記第１の着信に係る発信者と同一であるか否かを判定し、この判定の結果に応じて前記第２の着信に係る報知を制御する制御部と、を備え、前記制御部は、前記第２の着信に係る発信者が前記第１の着信に係る発信者と同一であると判定されて、前記通信部による前記第１の着信及び前記第２の着信の発生後に前記第１の着信及び前記第２の着信に係る発信者とは異なる発信者からの第３の着信が発生した場合、前記第１の着信及び前記第２の着信に係る発信者からの着信に対する報知を優先するよう前記報知部を制御することを特徴とする通信機器である。
【０００８】
本発明に係る通信機器は、上記課題を解決するために、外部の通信機器と通信するための通信部と、前記通信部で前記外部の通信機器からの着信が発生した場合に、前記着信を発生させた前記外部の通信機器に関する情報を記憶する第１記憶部と、前記着信に対する報知を行なう報知部と、前記通信部の第１の通信機能による第１の着信に対して第２の報知により報知を行ったにもかかわらず、応答がなされなかった後に、前記通信部の第２の通信機能による第２の着信が発生したときに、前記第２の着信が、前記第１記憶部に記憶されている前記情報に基づき前記外部の通信機器と同一の通信機器からの着信であるか否かを判定し、この判定の結果に応じて前記第２の着信に係る報知を制御する制御部と、を備え、前記制御部は、前記第２の着信が前記第１の着信に係る通信機器と同一であると判定された場合、前記第２の報知とは異なる第１の報知にて報知を行い、前記第１の着信及び第２の着信の双方にたいして応答がなされない状態で、前記第１の着信及び前記第２の着信に係る通信機器とは異なる通信機器からの第３の着信が発生した場合、前記第１の報知にて報知するものであることを特徴とする通信機器である。
【０００９】
上記通信機器では、前記第１の報知は、マナーモード或いはサイレントモード設定中に、前記第２の着信があった場合には、マナーモード或いはサイレントモードを強制解除して音或いは振動を用いて報知してもよい。
【００１１】
上記通信機器では、前記制御部は、さらに、前記第１の着信及び第２の着信の何れかに対して応答がなされるまで、前記第１の報知を継続して行うように前記報知部を制御してもよい。
【００１２】
上記通信機器では、前記第１の通信機能が通話機能であり、前記第２の通信機能がメール通信機能であってもよい。
【００１３】
上記通信機器では、前記第１の通信機能がメール通信機能であり、前記第２の通信機能が通話機能であってもよい。
【００１４】
上記通信機器では、前記第１の着信又は前記第２の着信は、メールの着信であって、前記制御部は、前記メールの文章に対して形態素解析を行って内容を分析し、緊急性を示す語句、又は連絡を求める旨が記載されていると判断された場合には、第１の態様による第１の報知を行うように前記報知部を制御してもよい。
【００１８】
本発明に係る通信機器は、上記課題を解決するために、通信機器であって、外部の通信機器と通信するための通信部と、前記通信部で着信が発生した場合に、前記着信に対する発信者の情報を記憶する第１記憶部と、前記着信に対する報知を行なう報知部と、前記通信部の第１の通信機能による第１の着信に対する応答がなされなかった後に、前記通信部の第２の通信機能による第２の着信が発生したときに、前記第２の着信に係る発信者が前記第１記憶部に記憶されている前記発信者の情報に基づき前記第１の着信に係る発信者と同一であるか否かを判定し、この判定の結果に応じて前記第２の着信に係る報知を制御する制御部と、を備え、前記制御部は、前記第２の着信に係る発信者が前記第１の着信に係る発信者と同一であると判定されて、前記通信部による前記第１の着信及び前記第２の着信の発生後に前記第１の着信及び前記第２の着信に係る発信者とは異なる発信者からの第３の着信が発生した場合、前記第１の着信及び前記第２の着信に係る発信者からの着信に対するコールバック機能を優先することを特徴とする通信機器である。
本発明に係る制御方法は、上記課題を解決するために、通信部の第１の通信機能による第１の着信に対する応答がなされなかった後に、前記通信部の第２の通信機能による第２の着信が発生したときに、前記第２の着信に係る発信者が前記第１の着信に係る発信者と同一であるか否かを判定し、前記第２の着信に係る発信者が前記第１の着信に係る発信者と同一であると判定されて、前記通信部による前記第１の着信及び前記第２の着信の発生後に前記第１の着信及び前記第２の着信に係る発信者とは異なる発信者からの第３の着信が発生した場合、前記第１の着信及び前記第２の着信に係る発信者からの着信に対するコールバック機能を優先することを特徴とする制御方法である。
【発明の効果】
【００１９】
本発明によれば、異なる手段により同一の発信者から着信を受けたときに、通常とは異なる態様による報知を行い、当該着信をより確実にユーザに通知することができる。
【図面の簡単な説明】
【００２０】
【図１】本発明の一実施形態に係る携帯電話機器の外観を示す斜視図である。
【図２】本発明の一実施形態に係る携帯電話機器が無線基地局を介してネットワークに接続される様子を示す模式図である。
【図３】本発明の一実施形態に係る携帯電話機器の機能を示す機能ブロック図である。
【図４】メールの着信後に電話を受信した場合における報知の態様についての説明に供するフローチャートである。
【図５】電話を受信した後にメールを着信した場合における報知の態様についての説明に供するフローチャートである。
【図６】メールの着信後に電話を受信し、さらにその後にメールを着信した場合における報知の態様についての説明に供するフローチャートである。
【図７】本発明の他の実施形態に係る携帯電話機器及びサーバを備えた通信システムの機能を示す機能ブロック図である。
【発明を実施するための形態】
【００２１】
以下、本発明の実施の形態について説明する。図１は、本発明の実施形態に係る外部機器（基地局）と通信を行う通信機器の一例である携帯電話機器１の外観斜視図である。
【００２２】
図１に示すように、携帯電話機器１は、フロントケース２ａとリアケース２ｂとにより外面が形成される操作部側筐体部２と、フロントケース３ａとリアケース３ｂとにより外面が形成される表示部側筐体部３と、操作部側筐体部２と表示部側筐体部３とを連結するヒンジ機構４と、を備えて構成される。
【００２３】
操作部側筐体部２は、フロントケース２ａの表面側に露出するように配設される操作ボタン群１１と音声入力部１２とを有して構成される。操作ボタン群１１は、各種設定や電話帳機能やメール機能等の各種機能を作動させるための機能設定操作ボタン１３と、数字や文字が割り当てられ、電話番号入力時やメール作成時等における文字入力時に用いられる入力操作ボタン１４と、各種操作における決定やスクロール等を行う決定操作ボタン１５と、から構成されている。また、操作部側筐体部２の側面には、イヤホンコネクタキャップ１６と、外部機器（基地局）と通信を行うためのインターフェース（図示せず）を覆うキャップ１７とが設けられている。さらに、操作部側筐体部２の下端部には、充電用コネクタ（図示せず）を覆うキャップ１８ａと、一対の充電用接点部１８ｂとが設けられている。なお、音声入力部１２は、携帯電話機器１の使用者が通話時に発した音声を入力するために用いられる。
【００２４】
表示部側筐体部３は、各種情報を表示するためのディスプレイ２１と、通話の相手側の音声を出力する音声出力部２２とを有して構成される。また、表示部側筐体部３の上端部には、他の携帯電話装置等との間で赤外線通信を行うための赤外線通信部２３が設けられている。
【００２５】
ヒンジ機構４は、操作部側筐体部２と表示部側筐体部３とが相対的に動くようにこれらを連結しており、操作部側筐体部２と表示部側筐体部３とが互いに開いた使用状態（開放状態）と、操作部側筐体部２の表面と表示部側筐体部３の表面とが互いに向き合った格納状態（折畳み状態）とに切り替えることができるように構成されている。
【００２６】
本実施形態においては、通信機器の一例としてヒンジ機構４を介して操作部側筐体部２と表示部側筐体部３とが相対的に動く、いわゆる折り畳み式の携帯電話機器１を挙げているが、本発明は、この形態に限られない。本発明は、例えば、折り畳み式ではなく、操作部側筐体部２と表示部側筐体部３とを重ね合わせた状態から一方の筐体を一方向にスライドさせるようにしたスライド式や、重ね合せ方向に沿う軸線を中心に一方の筐体を回転させるようにした回転式や、操作部側筐体部２と表示部側筐体部３とを２軸ヒンジを介して連結したもの、さらには、操作部側筐体部２と表示部側筐体部３とが一つの筐体に配置されたもの（いわゆる、ストレートタイプ）であっても適用可能である。
【００２７】
携帯電話機器１（１ａ、１ｂ）は、図２に示すように、無線基地局１００を介して、ネットワーク１０１と通信するように無線接続されている。本発明では、例えば、何れか一方の携帯電話機器１ａから他方の携帯電話機器１ｂにメールを送信し、当該メールが閲覧（確認）されず、再び、一方の携帯電話機器１ａから他方の携帯電話機器１ｂに電話をかけた場合において、他方の携帯電話機器１ｂは、一方の携帯電話機器１ａからメールを受信したこと、及びメールのアドレス及び送信者の氏名等の情報を記憶し、この情報を基に発信者を照会し、メールと電話の発信者が同一人であったと判定したときには、所定の態様、すなわち、通常時における電話受信の第２の態様とは異なる第１の態様により報知する機能を有している。例えば、第１の態様を、第１のメロディーがスピーカから出力されるように設定し、第２の態様を第２のメロディーをスピーカから出力しながら、バイブレーション機能を駆動させるように設定することができる。ここでは、第１の態様のみをユーザが設定できるようにし、第２の態様に関しては、あらかじめ設定された態様にしてもよいし、第１の態様及び第２の態様をユーザが設定できるようにしてもよい。第１の態様としては、緊急時を想定させるようなサイレン音等を鳴らしたり、音とともに赤色のＬＥＤを点灯させたりしてもよい。
【００２８】
ここで、携帯電話機器１の当該機能について図３を用いて説明する。携帯電話機器１は、通信部３１と、発信者照会部３２と、報知部３３と、制御部３４と、第１記憶部３５とを備える。通信部３１は、外部と通信を行う。発信者照会部３２は、通信部３１を構成する第１の通信機能３１Ａ又は第２の通信機能３１Ｂにより着信が発生したときに、発信者に関する電話番号やメールアドレス等が登録されているデータベース（例えば、携帯通信機器内のメモリに記憶されたアドレス帳）にアクセスし、発信者を照会する。制御部３４は、照会した結果を第１記憶部３５に記憶する。報知部３３は、通常（所定）の報知を行う。制御部３４は、通信部３１の何れかの通信機能により着信が発生したときに、通常（所定）の態様（第２の態様）、或いはこれとは異なる態様（第１の態様）で報知するように報知部３３を制御する。
【００２９】
制御部３４は、報知部３３を制御して以下の操作を行う。制御部３４は、通信部３１の第１の通信機能３１Ａ（例えば、通話機能を有する通信部）により第１の着信が発生したときに、発信者照会部３２により発信者を照会し、照会した結果を第１記憶部３５に記憶し、第２の態様による第２の報知を行うように報知部３３を制御し、当該第２の報知に対して応答がなされず、その後、通信部３１の第２の通信機能３１Ｂ（例えば、データ通信（メール）機能を有する通信部）により第２の着信が発生したときに、第１記憶部に記憶された発信者が第１の着信に係る発信者と同一者であったとき、所定の態様（第２の態様）とは異なる態様（第１の態様）による第１の報知を行う。
【００３０】
制御部３４は、第１の態様による第１の報知又は第１の態様とは異なる第２の態様による第２の報知に対して応答がなされるまで、第１の報知を定期的に行うように報知部３３を制御する構成であってもよい。
【００３１】
また、制御部３４は、第１の態様による第１の報知及び第１の態様とは異なる第２の態様による第２の報知に対して応答がなされず、通信部３１の何れかの通信機能により第３の着信が発生したときに、発信者照会部３２により照会され、第１記憶部に記憶された発信者が第１の着信及び第２の着信に係る発信者とは異なる発信者であったときには、第３の着信に係る第２の報知よりも、第２の着信に係る第１の報知を優先して行うように報知部３３を制御する構成であってもよい。本実施形態では、重要な用件が他の用件によって埋もれ難くなり、より確実にユーザに通知することができる。
【００３２】
本実施形態においては、通信部３１は、電話通信や、メールの送着信や、ＷＥＢサイトの掲示板へのアクセス（具体的には、閲覧や掲示）等の何れかの通信機能が可能であればよいが、通信部３１の通信機能は、これらに限られるものではない。
【００３３】
応答がなされなかった状態とは、通信部３１が電話通信機能の場合には、電話の受信に対して受信操作を行わない場合や、ディスプレイ２１に不在着信の表示がなされていても、折り返し電話をかけない場合が継続している状態であり、また、通信部３１がメール送着信機能の場合には、着信したメールの本文を閲覧（確認）していない状態、すなわち、未読の状態が継続している状態であり、また、通信部３１が掲示板への掲示や閲覧を行う機能を備えている場合には、掲示板に掲示されている本文を確認していない状態が継続している状態をいう。
【００３４】
報知部３３は、通信部３１に着信があったときに、ディスプレイ２１に対して所定の表示を行ったり、バイブレータ機能を駆動させたり、スピーカから所定のサウンドを出力したり、ＬＥＤ等の発光部を点灯させたりすることにより当該着信を報知する機能である。報知には、電話の呼び出し中の報知や、メールが着信した直後の報知に加え、これら、通信に対して応答がない状態が継続している間に繰り返し或いは断続的に行われる表示による報知を含む。
【００３５】
本実施形態に係る携帯電話機器１における着信のバリエーションとしては複数考えられ、以下にその代表（しかし限定されない）となるバリエーションについて説明する。
【００３６】
以下では、第１の通信機能３１Ａは、例えば、通話機能を有する通信部であるとする。また、第１の通信機能３１Ａにより着信が発生したときに報知される第２の態様による第２の報知は、例えば、第１のメロディーがスピーカから出力される所定の態様の報知であり、また、一定条件下において、第１の通信機能３１Ａにより着信が発生したときに報知される所定の態様とは異なる第１の態様の報知は、例えば、第２のメロディーがスピーカから出力されながら、バイブレーション機能が駆動される態様の報知である。
【００３７】
以下では、第２の通信機能３１Ｂは、例えば、データ通信機能であるとする。また、第２の通信機能３１Ｂにより着信が発生したときに報知される第２の報知の態様は、例えば、第３のメロディーをスピーカから出力することであり、また、一定条件下において、当該第２の通信機能３１Ｂにより着信が発生したときに報知される第１の報知の態様は、例えば、第４のメロディーをスピーカから出力しながら、バイブレーション機能を駆動することである。
【００３８】
＜第１のバリエーション（メール着信→電話受信）＞
第１のバリエーションにおける制御部３４の動作について説明する。制御部３４は、図４に示すように、第２の通信機能３１Ｂによりメールを着信し（ステップＳ１）、当該着信したメールが未読の状態において（ステップＳ２）、第１の通信機能３１Ａにより電話の受信が有った場合（ステップＳ３）、メールの発信者と電話の発信者が同一人であった場合には、当該電話の受信に対する第１の報知を行うように報知部３３を制御する（ステップＳ４）。なお、制御部３４は、メールの発信者と電話の発信者が同一人でない場合には、当該電話の受信に対する第２の態様により報知を行うように報知部３３を制御する（ステップＳ５）。
【００３９】
＜第２のバリエーション（電話受信→メール着信）＞
第２のバリエーションにおける制御部３４の動作について説明する。制御部３４は、図５に示すように、第１の通信機能３１Ａにより電話を受信し（ステップＳ１１）、当該着信した電話に応答せず（ステップＳ１２）、第２の通信機能３１Ｂによりメールの着信が有った場合（ステップＳ１３）、電話の発信者とメールの発信者が同一人であった場合には、当該メールの着信に対する第１の態様による第１の報知を行うように報知部３３を制御する（ステップＳ１４）。なお、制御部３４は、電話の発信者とメールの発信者が同一人でない場合には、当該メールに対する第２の態様による第２の報知を行うように報知部３３を制御する（ステップＳ１５）。
【００４０】
＜第３のバリエーション（メール着信→電話受信→メール着信）＞
第３のバリエーションにおける制御部３４の動作について説明する。制御部３４は、図６に示すように、第２の通信機能３１Ｂによりメールを着信し（ステップＳ２１）、当該着信したメールが未読の状態において（ステップＳ２２）、第１の通信機能３１Ａにより電話の受信が有り（ステップＳ２３）、メールの発信者と電話の発信者が同一人（ｐｅｒｓｏｎ  Ａ）であった場合には、当該電話の受信に対する第１の態様による第１の報知を行うように制御する（ステップＳ２４）。なお、制御部３４は、メールの発信者と電話の発信者が同一人でない場合には、当該電話の受信に対する第２の態様による第２の報知を行うように報知部３３を制御する（ステップＳ２５）。
【００４１】
制御部３４は、メールの発信者と電話の発信者が同一人（ｐｅｒｓｏｎ  Ａ）であった場合に、当該電話の受信に対して応答がされない状況（電話に出ない、若しくは折り返し電話をしない状況）において（ステップＳ２６）、第２の通信機能３１Ｂによりメールを着信した場合（ステップＳ２７）、当該メールの発信者が先の発信者（ｐｅｒｓｏｎ  Ａ）と異なる者（ｐｅｒｓｏｎ  Ｂ）のときには、着信履歴の表示において、先の発信者（ｐｅｒｓｏｎ  Ａ）からの着信があった旨を優先的に表示、若しくは優先度が高い旨の表示を行うように制御する（ステップＳ２８）。
【００４２】
本実施例に係る携帯電話機器１においては、最初のメールの発信者により電話の受信があった場合には、まず、メール着信が２件ある旨のポップアップ表示がディスプレイ２１にされ、所定の操作が行われると、最初に着信したメールの情報（発信者名等）がディスプレイ２１に優先表示される。本バリエーションにおいて、コールバック機能を使用した場合には、発信者（ｐｅｒｓｏｎ  Ａ）への発信が優先的に行われる。
【００４３】
＜第４のバリエーション（電話受信→メール着信→電話受信）＞
第４のバリエーションにおける制御部３４の動作について説明する。制御部３４は、第１の通信機能３１Ａにより電話を受信し、当該着信した電話に応答せず、第２の通信機能３１Ｂによりメールの着信が有り、電話の発信者とメールの発信者が同一人（ｐｅｒｓｏｎ  Ａ）であった場合には、当該メールの着信に対して第１の態様による第１の報知を行うように報知部を制御する。制御部３４は、当該メールの着信に対して応答がされない状況（閲覧等がされない状況）において、第１の通信機能３１Ａにより電話を受信した場合、当該電話の発信者が先の発信者（ｐｅｒｓｏｎ  Ａ）と異なる者（ｐｅｒｓｏｎ  Ｂ）のときには、着信履歴の表示による報知において、先の発信者（ｐｅｒｓｏｎ  Ａ）からの着信があった旨を優先的に表示、若しくは優先度が高い旨の表示を行うように制御する。本バリエーションにおいて、コールバック機能を使用した場合には、発信者（ｐｅｒｓｏｎ  Ａ）への発信が優先的に行われる。
【００４４】
＜第５のバリエーション（メール着信→電話受信→電話受信）＞
第５のバリエーションにおける制御部３４の動作について説明する。制御部３４は、第２の通信機能３１Ｂによりメールを着信し、当該着信したメールが未読の状態において、第１の通信機能３１Ａにより電話の受信が有り、メールの発信者と電話の発信者が同一人（ｐｅｒｓｏｎ  Ａ）であった場合には、当該電話の受信に対して第１の態様による第１の報知を行うように制御する。また、制御部３４は、当該電話の受信に対して応答がされない状況（電話に出ない、若しくは折り返し電話をしない状況）において、第１の通信機能３１Ａにより電話を受信した場合、当該電話の発信者が先の発信者（ｐｅｒｓｏｎ  Ａ）と異なる者（ｐｅｒｓｏｎ  Ｂ）のときには、着信履歴の表示による報知において、先の発信者（ｐｅｒｓｏｎ  Ａ）からの着信があった旨を優先的に表示、若しくは優先度が高い旨の表示を行うように制御する。本バリエーションにおいて、コールバック機能を使用した場合には、発信者（ｐｅｒｓｏｎ  Ａ）への発信が優先的に行われる。
【００４５】
＜第６のバリエーション（電話受信→メール着信→メール着信）＞
第６のバリエーションにおける制御部３４の動作について説明する。制御部３４は、第１の通信機能３１Ａにより電話を受信し、当該着信した電話に応答せず、第２の通信機能３１Ｂによりメールの着信が有り、電話の発信者とメールの発信者が同一人（ｐｅｒｓｏｎ  Ａ）であった場合には、当該メールの着信に対して第１の態様による第１の報知を行うように制御する。また、制御部３４は、当該メールの着信に対して応答がされない状況（閲覧等がされない状況）において、第２の通信機能３１Ｂによりメールを着信した場合、当該メールの発信者が先の発信者（ｐｅｒｓｏｎ  Ａ）と異なる者（ｐｅｒｓｏｎ  Ｂ）のときには、着信履歴の表示において、先の発信者（ｐｅｒｓｏｎ  Ａ）からの着信があった旨の報知を優先的に表示、若しくは優先度が高い旨の表示を行うように制御する。本バリエーションにおいて、コールバック機能を使用した場合には、発信者（ｐｅｒｓｏｎ  Ａ）への発信が優先的に行われる。
【００４６】
上述した各バリエーションにおいては、メールの着信と電話の受信との間の時間的な間隔は特に限定しない。したがって、着信メールが未読である限り同一発信者からの電話の受信を知らせる報知は、第１の態様による第１の報知になる。
【００４７】
携帯電話機器１では、第３〜第６のバリエーションの変形例として、同一発信者（ｐｅｒｓｏｎ  Ａ）からのメール着信（又は電話受信）と電話受信（又はメール着信）の間に、第三者（ｐｅｒｓｏｎ  Ｂ）からの電話受信（又はメール着信）があった場合においても、第三者（ｐｅｒｓｏｎ  Ｂ）からの電話受信（又はメール着信）後の同一発信者（ｐｅｒｓｏｎ  Ａ）からの電話受信（又はメール着信）を知らせる報知は、第１の態様による第１の報知になる。
【００４８】
上述した場合において、その後、第三者（ｐｅｒｓｏｎ  Ｂ）からメール着信（又は電話受信）があった場合にも、当該メール着信（又は電話受信）を知らせる報知は、第１の態様による第１の報知となる。
【００４９】
携帯電話機器１では、第１の態様による第１の報知においては、マナーモード（メール着信等の報知において、音を鳴動させずバイブレーションによる振動を行うモード）若しくはサイレントモード（メール着信等の報知において、音の鳴動及びバイブレーションによる振動の双方を行わないモード）に設定されていても、当該モードを強制的に解除し、音の鳴動又はバイブレーションによる振動を行わせる構成であってもよい。
【００５０】
このように、携帯電話機器１では、例えば、最初にメールを送信し、当該メールに対して応答がない場合に、電話をかけるという使用状況では、メールと電話とが同一の発信者だった場合、第１の態様による第１の報知により電話の報知を行うので、発信者の要求度及び緊急度に応じた報知を行うことができ、ユーザに重要な通知をより確実に行うことができる。
【００５１】
携帯電話機器１では、第２の通信機能３１Ｂによりメールを着信し、当該着信したメールが未読の状態において、第１の通信機能３１Ａにより電話の受信が有った場合、或いは、第１の通信機能３１Ａにより電話を受信し、当該着信した電話に応答せず、第２の通信機能３１Ｂによりメールの着信が有った場合、制御部３４が、メールの文章（題名或いは本文）に対して形態素解析（Ｍｏｒｐｈｏｌｏｇｉｃａｌ  Ａｎａｌｙｓｉｓ）をおこなうことにより内容を分析し、その中に緊急性を示す語句（緊急・至急・急ぎ）や連絡を求める旨（要連絡・電話ください・メールください）が記載されていると判断された場合には、第１の態様による第１の報知を行うように報知部３３を制御してもよい。
【００５２】
なお、本実施形態においては、通信部３１の有する複数の通信機能により複数回に渡って同一の発信者からの着信があった場合に、所定の態様とは異なる第１の態様による第１の報知を行う機能が携帯電話機器１側に備えられているとして説明したが、特にこれに限られず、外部サーバに備えられていてもよい。
【００５３】
このような場合には、図７に示すように、サーバ２００は、複数の通信機器（第１の通信機器２０１Ａ、第２の通信機器２０１Ｂ）により通信を行う発信者が登録されているデータベース２３８と、複数の通信機器（第１の通信機器２０１Ａ，第２の通信機器２０１Ｂ）のうちの一方の通信機器（例えば、第１の通信機器２０１Ａ）から他方の通信機器（例えば、第２の通信機器２０１Ｂ）へ通信が行われた際に、データベース２３８にアクセスし、一方の通信機器（例えば、第１の通信機器２０１Ａ）の発信者を照会する発信者照会部２３７と、発信者照会部２３７にて照会した結果を記憶する第２記憶部２３５と、複数の通信機器のうちの一方の通信機器（例えば、第１の通信機器２０１Ａ）から他方の通信機器（例えば、第２の通信機器２０１Ｂ）へ通信が行われた際に、所定の態様（第２の態様）で報知するように他方の通信機器（例えば、第２の通信機器２０１Ｂ）に対して命令を行う命令部２３６を備える。
【００５４】
命令部２３６は、第１の通信機器２０１Ａに備えられている通信部２３１Ａの第１の通信機能により第１の通信が発生したときに、発信者照会部２３７により発信者を照会し、紹介した結果の情報を第２記憶部２３５に記憶するとともに、第２記憶部２３５に記憶された前記情報に基づき、所定の態様（第２の態様）による報知を行うように第２の通信機器２０１Ｂに対して命令し、第２の通信機器２０１Ｂにより当該所定の態様による報知に対して応答がなされず、第１の通信機器に備えられている通信部の第２の通信機能により第２の通信が発生したときに、第２記憶部２３５の記憶情報に基づき、発信者が第１の着信に係る発信者と同一者であったとき、所定の態様とは異なる態様（第１の態様）による報知を行うように第２の通信機器２０１Ｂに対して命令する。
【００５５】
第２の通信機器２０１Ｂは、サーバ２００から所定の態様による報知（第２の態様）又は所定の態様とは異なる態様（第１の態様）による報知を行うように命令がされたときに、それぞれの態様による報知を行うように報知部２３３Ｂを制御する。ここで、第１の態様及び第２の態様の具体的な態様は、それぞれ上述にて示した例（音や光等を種々利用したもの）が適用可能であるが、それらに限られるものではない。
【００５６】
尚、種々の実施例について説明したが、それぞれの実施例の中に記載された技術的事項から選択された技術的事項を組み合わせて、新たな携帯電話機器や通信システムとすることもできる。
【００５７】
また、携帯電話機器１の実施例では、第１の通信機能による第１の着信と、第２の通信機能による第２の着信とが、同一の発信者（ｐｅｒｓｏｎ  Ａ）による場合に、異なる発信者（ｐｅｒｓｏｎ  Ｂ）である場合とは、異なる態様で報知を行わせるようにしたが、以下のようにしてもよい。
【００５８】
すなわち、第１の通信機能による第１の着信と第２の通信機能による第２の着信とが同一の発信者（ｐｅｒｓｏｎ  Ａ）によって同一の通信機器を用いて行われた場合と、同一の発信者（ｐｅｒｓｏｎ  Ａ）によって異なる通信機器を用いて行われた場合とでは、異なる態様にて報知を行わせるようにしてもよい。この様な構成の場合、この発信者（ｐｅｒｓｏｎ  Ａ）に関する情報を登録したアドレス帳には複数の電話番号やメールアドレスやＦＡＸ番号が、この発信者（ｐｅｒｓｏｎ  Ａ）に対応付けられている。具体的には、携帯電話の第１の通信機能を用いた同一の発信者（ｐｅｒｓｏｎ  Ａ）からの第１の着信が生じ、これに対して応答しない状態で、同一の携帯電話の第１の通信機能或いは第２の着信機能を用いた同一の発信者（ｐｅｒｓｏｎ  Ａ）からの第２の着信があった場合と、携帯電話の第１の通信機能を用いた同一の発信者（ｐｅｒｓｏｎ  Ａ）からの第１の着信が生じ、これに対して応答しない状態で、固定電話の第１の通信機能或いはパソコンの第２の着信機能を用いた同一の発信者（ｐｅｒｓｏｎ  Ａ）からの第２の着信があった場合とでは、報知の態様を異ならせてもよい。
【００５９】
また、携帯電話機器１の実施例では、第１の通信機能による第１の着信と、第２の通信機能による第２の着信とが、同一の発信者（ｐｅｒｓｏｎ  Ａ）による場合に、異なる発信者（ｐｅｒｓｏｎ  Ｂ）である場合とは、異なる態様で報知を行わせるようにしたが、以下のようにしてもよい。
【００６０】
すなわち、第１の通信機能による第１の着信と第２の通信機能による第２の着信とが同一の発信者（ｐｅｒｓｏｎ  Ａ）によって同一の通信機器を用いて行われた場合と、同一の発信者（ｐｅｒｓｏｎ  Ａ）によって異なる通信機器を用いて行われた場合とでは、異なる態様にて報知を行わせるようにしてもよい。この様な構成の場合、この発信者（ｐｅｒｓｏｎ  Ａ）に関する情報を登録したアドレス帳には複数の電話番号やメールアドレスやＦＡＸ番号が、この発信者（ｐｅｒｓｏｎ  Ａ）に対応付けられている。具体的には、携帯電話の第１の通信機能を用いた同一の発信者（ｐｅｒｓｏｎ  Ａ）からの第１の着信が生じ、これに対して応答しない状態で、同一の携帯電話の第１の通信機能或いは第２の着信機能を用いた同一の発信者（ｐｅｒｓｏｎ  Ａ）からの第２の着信があった場合と、携帯電話の第１の通信機能を用いた同一の発信者（ｐｅｒｓｏｎ  Ａ）からの第１の着信が生じ、これに対して応答しない状態で、固定電話の第１の通信機能或いはパソコンの第２の着信機能を用いた同一の発信者（ｐｅｒｓｏｎ  Ａ）からの第２の着信があった場合とでは、報知の態様を異ならせてもよい。
【符号の説明】
【００６１】
１  携帯電話機器
３１  通信部
３２  発信者照会部
３３  報知部
３４  制御部
３５  第１記憶部
【図１】
0005448473.tif 000002
【図２】
0005448473.tif 000003
【図３】
0005448473.tif 000004
【図４】
0005448473.tif 000005
【図５】
0005448473.tif 000006
【図６】
0005448473.tif 000007
【図７】
0005448473.tif 000008